(57)【特許請求の範囲】
【請求項１】
回転表示装置本体の上部から、遊技球を導入可能とする入口部と、前記入口部から、前記回転表示装置本体下部出口まで前記遊技球を通すように一連に形成された誘導通路と、
前記誘導通路上に、回転ドラムの外周の一部を露呈して配置されるとともに、当該回転ドラムの外周部に構成された磁石で、前記誘導通路を通る前記遊技球を吸着しながら、当該回転ドラムの回転動作により前記遊技球を誘導する誘導ドラム装置と、
を有することを特徴とする遊技機の回転表示装置。
【請求項２】
前記誘導ドラム装置が、前記回転表示装置本体の構造部に取り付けられた固定シャフトに装着されたステッピングモータ用ステータと、前記ステータの外周部に配置された軸受け部材と、
前記ステータを中空内部に納める環状に形成されるとともに、外周側が遊技球を吸着できる磁石にされ、前記軸受部材によって前記ステータに対し、回動自由に軸支されたステッピングモータ用ロータと、
を有することを特徴とする請求項１記載の遊技機の回転表示装置。
【発明の詳細な説明】
【０００１】
【産業上の利用分野】
本発明は、パチンコ機、又はアレンジボールで、文字又は図柄を表示する等に用いられる遊技機の回転表示装置に関する。
【０００２】
【従来の技術】
従来のパチンコ機、又はアレンジボール機等には、図１０に例示するパチンコ機の如く遊技盤１０に回転表示装置１２を装着したものがある。
【０００３】
この回転表示装置１２には、回転表示ドラム１４が３個横に並べて設けられている。各回転表示ドラム１４には、複数の文字、又は図柄が描かれており、各回転表示ドラム１４は各々独立して回動後停止し、それぞれある文字、又は図柄を表示する。
【０００４】
この回転表示装置１２では、３個の回転表示ドラム１４に、例えば７、７、７の数字が表示されたときを当たりとし、それ以外の数字の組み合わせが表示されたときは外れとする等の表示方法がとられている。
【０００５】
また、回転表示装置１２の両横側上部には、それぞれ遊技球１６の入口１８が開口されていて、各入口１８から回転表示装置１２の各横側部を通り、底部へ抜ける左右のワープ通路２０、２２が設けられている。
【０００６】
回転表示装置１２の下方には、２つの始動口２４、２６が設けられていて、各入口１８から入った遊技球１６が、それぞれ左右のワープ通路２０、２２に導かれて、始動口２４、２６に入り得るようにされている。そして始動口に入賞すると回転表示ドラム１４が回転し、変動表示してから停止する迄の始動入賞球の記憶数は、４個までとなっている。
【０００７】
遊技盤１０には、始動口２４、２６の下に大入賞口２８が設けられており、さらにその下には、外れ口３０が設けられている。この他に遊技盤１０には、一般入賞口３２、風車３４等が設けられる。
【０００８】
このような、回転表示装置１２を有するパチンコ機等の遊技機では、回転表示装置１２の表示態様を増加し、文字、又は図柄等を見やすくするため、回転表示装置１２に本体を大形化する傾向があるが、遊技盤１０の中央部に大形の回転表示装置１２を配置した場合には、遊技盤１０上を遊技球１６が自由に動き回れる範囲が遊技盤１０の周囲の狭い範囲となってしまい、遊技球１６が遊技盤上を落下する動作も単調となって、ゲームが面白くなくなってしまう。また、大形の回転表示装置１２の下に始動口２４、２６を設けた場合には、この大形の回転表示装置１２を回り込んで遊技球１６が始動口２４、２６ヘ入ることが極めて困難になる。このため、大形の回転表示装置１２の両横部に入口１８からワープ通路２０、２２を設けても、この入口１８が遊技盤１０の中央から外れた両横側へ位置するのでこの入口１８に遊技球１６が入る確立が低くなり、ゲームの興が削がれるという問題があった。
【０００９】
【発明が解決しようとする課題】
本発明は上記事実を考慮し、遊技盤に大型の回転表示装置を配置しても、遊技盤の中央部に打ち込まれた球が回転表示装置下方の入賞口へ入り易くするとともに、球の動作に変化を与えて、ゲームを盛り上げるようにできる遊技機の回転表示装置を新たに提供することを目的とする。
【００１０】
【課題を解決するための手段】
請求項１に係る発明は、回転表示装置本体の上部から遊技球を導入可能とする入口部と、入口部から回転表示装置本体下部出口まで遊技球を通すように一連に形成された誘導通路と、誘導通路上に回転ドラムの外周の一部を露呈して配置されるとともに、回転ドラムの外周部に構成された磁石で誘導通路を通る遊技球を吸着しながら、回転ドラムの回転動作により遊技球を誘導する誘導ドラム装置と、を有することを特徴とする。
【００１１】
請求項２に係る発明は、請求項１記載の遊技機の回転表示装置において、誘導ドラム装置が回転表示装置本体の構造部に取り付けられた固定シャフトに装着されたステッピングモーター用ステータと、ステータの外周部に配置された軸受け部材とステータを中空内部に納める環状に形成されるとともに、外周側が遊技球を吸着できる磁石にされ、軸受部材によってステータに対し回動自由に軸支されたステッピングモータ用ロータとを有することを特徴とする。
【００１２】
【作用】
請求項１に係る発明は、回転表示装置本体の上部にある入口部から、誘導通路本体の上部にある入口部から、誘導通路に入って、この誘導通路内を落下してゆく遊技球がその途上で、誘導ドラム装置の回転ドラムの位置に至ると、この回転ドラムの磁力に遊技球が吸着される。このように、回転ドラムの外周部に遊技球を磁力で吸着した状態で回転ドラムが回転動作されるのに伴って、遊技球が出口側へ送られ、出口部位で回転ドラムから外され放出される。
【００１３】
なお、このとき誘導ドラム装置の回転ドラムを回転速度を変化して回動し、さらには間欠的に回動し、又は正転と逆転を小刻みに繰り返して回動する等、種々に変化して回転動作させることにより、この回転ドラムに吸着された遊技球に種々の動作をさせることができる。
【００１４】
請求項２に係る発明では、誘導ドラム装置をステッピングモータで構成することにより、小形薄形化を図れるとともに、中心固定部のステータの外周部という大径の円周上の位置において、軸受け部材を介してロータ側を支受することにより、ロータ側の支受構造の剛性を高め、ロータ側回転ドラム部分に遊技球が磁力で吸着して、その回転バランスが崩れても芯振れを抑制し、ロータ側の回転ドラム部分を滑らかに回動するという作用を秦する。
【００１５】
【実施例】
図１にはパチンコ機へ適用された本発明の実施例に係る遊技機の回転表示装置が示されている。この回転表示装置の本体５０は、パチンコ機における遊技盤５２の中央部に配置されている。
【００１６】
回転表示装置の本体５０には、５個の回転ドラムが並べて配置され、その中央と両横には回転表示ドラム５４が配置され、これらの中央と両横との回転表示ドラム５４の間には、それぞれ回転誘導ドラム５５が配置されている。回転表示ドラム５４は、比較的幅広に形成されている。また、回転誘導ドラム５５は、遊技球５７より若干幅狭に形成されている。
【００１７】
回転表示装置本体５０の各回転表示ドラム５４と回転誘導ドラム５５とは、図２乃至図６に示す如く、ステッピングモータとして構成されるもので、一対の取付板６８、７０の間に橋渡すように取り付けられた長尺の固定シャフト７２にそれぞれ組み付けられている。
【００１８】
回転誘導ドラム５５では、固定シャフト７２の所定位置に、まずステータヨーク７３が嵌挿され、ステータヨーク７３にはコイル７４が巻装され、このコイル７４にはその両端部からそれぞれステータ部材７６、７８が嵌め付けられる。これら２つのステータ部材７６、７８はこれらの鋸歯状波形ステータポールが、図６に例示する回転表示ドラム５４用ステータ部材１７６、１７８と同様に一方の歯が他方の歯の間に位置するように配置されて、ステータが構成されている。この２つの組み合わさったステータ部材７６、７８の円環状の一部が切欠され、図２に示すようにこの切欠部に納まるよう、長尺のプリント基板８０が設置されている。
【００１９】
プリント基板８０上の所定位置には、接続コネクタ８１とコイル７４に接続された駆動回路が構成されている。
【００２０】
このように、プリント基板８０を通したステータ部材７６、７８はボールベアリングで構成した軸受け部材８２の内輪８２Ａ内に嵌挿され、固定シャフト７２側のステータ部材７６、７８等と、内輪８２Ａとが一体に固定されている。この軸受け部材８２の外輪８２Ｂにはロータ部材８４が嵌着されている。
【００２１】
ロータ部材８４には図５に例示する回転表示ドラム５４用ロータ部材１８４と同様に円周方向にＮ極部とＳ極部とを交互に所定間隔で着磁してある。
【００２２】
回転誘導ドラム５５のロータ部材８４の外周部には、図２に示す如く厚肉筒状の誘導ドラム部材１００を組み付ける。この誘導ドラム部材１００の外周部には、図９に示すように円周方向にＮ極部とＳ極部とを交互に配置する。この誘導ドラム部材１００は、合成樹脂で形成し、その外周部に小磁石を埋設しても良いし、又はドラムを磁性体で形成しその円周方向にＮ極部とＳ極部とを交互に所定間隔で、着磁して構成しても良い。さらには、ロータ部材８４を厚肉大径に構成し、そのＮ極部とＳ極部との着磁部を外周面にまで構成して、誘導ドラム部材と兼用してもよい。
【００２３】
回転表示ドラム５４は、上述の回転誘導ドラム５５と基本的に同様に構成するもので、長尺の固定シャフト７２の所定位置にステータヨーク１７３が設置され、このステータヨーク１７３にコイル１７４、とステータ部材１７６、１７８が装着されている。ステータ部材１７６、１７８の切欠部に配置されるプリント基板８０の所定位置には、この回転表示ドラム５４用のコイル１７４に接続された駆動回路、及びホール素子で構成された原点検出センサ８０Ａが構成されている。上述の固定シャフト７２側のスタータヨーク１７３、コイル１７４、ステータ部材１７６、１７８等は、軸受け部材１８２の内輪１８２Ａに一体的に固定されている。
【００２４】
この軸受け部材１８２の外輪１８２Ｂにはロータ部材１８４が嵌着されている。ロータ部材１８４には図５にも示すように、円周方向にＮ極部とＳ極部とを交互に所定間隔で着磁してある。また、回転表示ドラム５４用のロータ部材１８４の外周部所定１ヶ所には、原点検出センサ８０Ａが検出する対象となる着磁部８６が設けられている。すなわち、ロータ部材１８４の着磁部８６の回動軌跡に隣接して、プリント基板８０の原点検出センサ８０Ａが位置するように構成されている。
【００２５】
回転表示ドラム５４用のロータ部材１８４の外周部には、筒状のドラム部材８８を組み付ける。このドラム部材８８は合成樹脂製で、本実施例では断面逆コ字形に形成されており、その外周面部には、複数の文字、又は図柄が表示されている。また、ドラム部材８８は、これに表示された図柄等とロータ部材１８４の原点用着磁部８６との位置を合致させるため、ロータ部材１８４に設けた図示しない位置決めボス等を利用し、位置合わせして圧入し一体に組み付ける。または、ロータ部材１８４にドラム部材８８を一体成形により、設けるようにしても良い。このようにすれば、ロータ部材１８４にドラム部材８８を簡単に組み付けることができる。さらに、ドラム部材８８の幅を変更することにより、文字、又は図柄等の表示の幅を変更できる。
【００２６】
また、回転表示装置本体５０の一対の取付板６８、７０の四偶部分には、それぞれ長尺の支柱９０を橋渡すように設置し、装置の構造上の剛性を強化する。
【００２７】
上述のようにして、図３に示す如く各１本の固定シャフト７２、プリント基板８０の所定５箇所に回転表示ドラム５４、回転誘導ドラム５５が配置されている。回転表示装置本体５０における回転ドラム５４、５５の上部には図１、図７及び図８に示すように遊技球５７の入口部が設けられている。このため、回転表示装置本体５０の上部には、入口部材１０２が取り付けられている。入口部材１０２の背後には遊技球５７が入る誘導通路入口空間部１０４Ａが形成され、この空間部１０４Ａ内の下部には、２つの回転誘導ドラム５５へそれぞれ通ずる誘導通路ドラム部１０４Ｂが形成され、各誘導通路ドラム部１０４Ｂの下部にはそれぞれ出口部１０４Ｃが設けられている。すなわち、回転表示装置本体５０には、図８に示すように入口空間部１０４Ａから各回転誘導ドラム５５上を通る２つの誘導通路ドラム部１０４Ｂに続き、各々出口部１０４Ｃに続く一連の誘導通路１０４（１０４Ａ，１０４Ｂ，１０４Ｃ）が設けられている。
【００２８】
この誘導通路ドラム部１０４Ｂ部分は、図８に示すように透明部材により回転誘導ドラム５５の円周の一部に沿って、円弧状に形成され、誘導通路ドラム部１０４Ｂ内に回転誘導ドラム５５の外周の一部が露呈されて、形成されている。また、入口空間部１０４Ａ内には、遊技球振り分け部材１０６が設置されている。
【００２９】
図１に示すように、回転表示装置本体５０における誘導通路１０４の２つの出口部１０４Ｃの下方には、それぞれ始動口５８が設けられている。さらに回転表示装置本体５０の両横側部から下部にかけて、それぞれ遊技球通路５６が設けられており、これらの各通路５６の下方は、それぞれ始動口５８となっている。
【００３０】
なお、始動口５８の下方には、大入賞口６０が設けられており、さらにその下方には外れ口６２が設けられている。また、遊技盤５２盤面上には、一般入賞口６４及び風車６６等が設けられている。
【００３１】
次に、上述のように構成された回転表示装置の制御動作について説明する。この回転表示装置本体１２の回転誘導ドラム５５には、接続コネクタ８１を通じて所要の駆動パルス電流を給電する。すると、プリント基板８０の駆動回路で各パルスごとに駆動パルス電流の流れる方向を変えながらコイル７４に給電することによって、ロータ部材１８４を誘導ドラム部材１００と一体に回動する。
【００３２】
なお、駆動パルス電流を変動制御することにより、各回転誘導ドラム５５の回転速度をそれぞれ独自に、速く又は遅くするよう自在に変動し、かつ回動方向を正・逆切り換えて種々に回転を制御できる。
【００３３】
また、回転表示ドラム５４では上述の回転誘導ドラム５５の制御動作に加えて文字、又は図柄の表示制御を行う。このため、ロータ部材１８４の原点着磁部８６が原点検出センサ８０Ａの位置を通過したときを基準に、駆動パルス電流のパルス数を図示しない制御装置でカウントすることによって、ロータ部材１８４の原点からの回転量を算出する。そして、このロータ部材１８４の回転量から、ロータ部材１８４と一体に回転するドラム部材８８の外周面上に、描かれたどの文字、又は図柄が現在表示されているかを検知する。又は、ドラム部材８８の所望の文字、又は図柄を表示するために、この所望の文字、又は図柄に対する原点からのあらかじめ定められた回転量を読み出し、原点を基準にこの所要回転量に対応した駆動パルス電流を供給して、ロータ部材１８４を所要回転量後に停止させるよう制御する。なお、回転ドラム５４を複数備えた回転表示装置は、上述した制御動作を各回転表示ドラム５４ごとに独立して実行する。
【００３４】
次に本実施例の回転表示装置をパチンコ機に用いた場合の動作について説明する。この場合には、遊技者がパチンコ機の遊技盤上へ遊技球５７を打ち込みゲームを進める。このゲーム中に回転表示装置本体５０の上部入口部材１０２から、遊技球５７が誘導通路１０４の入口空間部１０４Ａ内に入ると、振り分け部材１０６によって２つの誘導通路ドラム部１０４Ｂへ振り分けて送られる。
【００３５】
誘導通路ドラム部１０４Ｂ内に入った遊技球５７は、図９にも示す如く回転誘導ドラム５５の外周表面の磁力で吸着され、回転誘導ドラム５５の回転速度及び回転方向の変動動作に合わせて、誘導通路ドラム部１０４Ｂ内を種々の動作を行い出口部１０４Ｃへ向う。遊技球５７が出口部１０４Ｃへ至ると、遊技球５７は誘導通路１０４の壁（例えば突壁１０５）に当たるなどし、回転誘導ドラム５５から離れて出口部１０４Ｃの外方へ放出される。この各出口部１０４Ｃから放出された遊技球５７は高い確立で、その下の始動口５８へ入る。さらに、回転表示装置本体５０の遊技球通路５６へ入った遊技球５７も高い確立で始動口５８へ入る。
【００３６】
このように、遊技盤５２上の回転表示装置本体５０の上部又は両横部位置へ打ち込まれた遊技球５７でも、誘導通路１０４又は遊技球通路５６を通じて、この回転表示装置本体５０の下方に配置された始動口５８に入れることができる。よって、回転表示装置本体５０が大きくなっても、その下方の始動口５８に入りにくくなることを防止できる。しかも、遊技盤５２の中央部に位置する回転表示装置本体５０の上部及び両横部の位置に遊技球５７を打ち込んで始動口５８に入れることができるから、遊技盤５２上の広い範囲に遊技球５７を打ち込んで、遊技盤５２上を遊技球５７が複雑に動きながら落下する動作を楽しむことができるのでゲームに飽きが来ないようにできる。
【００３７】
このようにして、始動口５８に遊技球が入るとその球が入ったタイミングに対応して図示しない制御部で当り、外れを決定するとともに各回転ドラム５４に表示する文字、又は図柄を決定する。そして、各表示する文字、又は図柄の原点からの回転量を記憶部から読み出し、各回転量に対応するパルス数の駆動パルス電流を、原点検出センサ８０Ａが原点着磁部８６を検出した時点を基準に各々対応する回転表示ドラム５４に給電し、それぞれ所望の文字、又は図柄を表示する。
【００３８】
そして、回転表示装置に当り表示（例えば数字７、７、７の表示）がされた当りの場合には、大入賞口６０を解放し、外れの場合にはそのまま次の始動口５８への入賞を待つという如く動作する。
【００３９】
【発明の効果】
以上説明したように、請求項１記載の発明によれば、回転表示装置本体の上部にある入口から下部に開放する出口まで一連に続く誘導通路を設けるとともに、この誘導通路上に誘導ドラム装置を設けたので、回転表示装置本体の上部に打ち込まれた遊技球が、入口から誘導通路内に入り、誘導ドラム装置の回転ドラムの磁石に吸着された状態で回転ドラムと共に、回転動作されて出口へ誘導され、回転表示装置本体の下方に設けた入賞口へ入り易くできるという効果がある。さらに、遊技球が回転ドラムに吸着されて種々の変化に富んだ動作を行い、ゲームを盛り上げることができるという効果がある。
【００４０】
請求項２記載の発明によれば、誘導ドラム装置をステッピングモータで構成するので、小型、薄型化を図ることができる。又、このステッピングモータは、中心固定部のステータの外周部という大径の円周上の位置に配置された軸受部材を介してロータ側を支受するので、ロータ側の支受構造の剛性及び強度を高めることができる。よって、ロータ側の回転ドラム部分に遊技球が磁力で吸着して、回転バランスが崩れても、芯振れを抑制しロータ側の回転ドラム部分を滑らかに回動でき、しかも、ロータ側の支受構造の芯振れによる損傷を無くし、耐久性を向上できるという効果がある。
【図面の簡単な説明】
【図１】本発明の一実施例に係る遊技機の回転表示装置をパチンコ機の遊技盤に設置した状態を示す要部概略正面図である。
【図２】回転表示装置の１つの回転表示ドラムと１つの回転誘導ドラムの構成を示す要部分解斜視図である。
【図３】回転表示装置の要部の断面を示す縦断側面図である。
【図４】回転表示装置の回転誘導ドラム部分の構成を示す縦断面図である。
【図５】ロータ部分を取り出して示す斜視図である。
【図６】ステータ部分を取り出して示す斜視図である。
【図７】回転表示装置の入口部材を外した状態を示す分解正面図である。
【図８】図７のVIII−VIII線による断面を示す要部断面図である。
【図９】誘導ドラム部材に吸着されて動く遊技球の状態を取り出して示す要部斜視図である。
【図１０】従来の回転表示装置を備えたパチンコ機の遊技盤部分を示す正面図である。
【符号の説明】
５０      回転表示装置本体
５４      回転表示ドラム
５５      回転誘導ドラム
７２      固定シャフト
７３      ステータヨーク
７４      コイル部材
７６      ステータ部材
７８      ステータ部材
８０Ａ    原点検出センサ
８２      軸受け部材
８４      ロータ部材
８６      原点着磁部
８８      ドラム部材
１００    誘導ドラム部材
１０２    入口部材
１０４    誘導通路
【図１】
0003759768.tif 000002
【図２】
0003759768.tif 000003
【図３】
0003759768.tif 000004
【図４】
0003759768.tif 000005
【図５】
0003759768.tif 000006
【図６】
0003759768.tif 000007
【図７】
0003759768.tif 000008
【図８】
0003759768.tif 000009
【図９】
0003759768.tif 000010
【図１０】
0003759768.tif 000011